(57)【要約】【課題】需要者の趣向に柔軟に対応することができると共に、在庫、管理等の面倒を回避することができるハンドル取付け用エスカチオンを提供すること。【解決手段】扉の壁面に固定されるハンドル取付け用エスカチオンに於いて、該エスカチオンは、窓を有する所定形状の取付け基体と、該取付け基体に設けられた印刷表示装置とから成り、印刷表示装置は、入力部と、この入力部が受け取った印刷情報を記憶する記憶部と、該記憶部の印刷情報を前記電子ペーパーに出力するように制御する制御部と、取付け基体の窓部に設けられ、かつ制御部からの印刷情報を表示後に電気が流れなくてもデータ自己保存性により当該表示後の印刷情報を常に表示（印刷）する前記電子ペーパーを備えるハンドル取付け用エスカチオン。【選択図】図３
2010222781.tif 000002
【特許請求の範囲】
【請求項１】
扉の壁面に固定されるハンドル取付け用エスカチオンに於いて、該エスカチオンは、窓を有する所定形状の取付け基体と、該取付け基体に設けられた印刷表示装置とから成り、前記印刷表示装置は、入力部と、この入力部が受け取った印刷情報を記憶する記憶部と、該記憶部の印刷情報を前記電子ペーパーに出力するように制御する制御部と、前記取付け基体の窓部に設けられ、かつ前記制御部からの前記印刷情報を表示後に電気が流れなくてもデータ自己保存性により当該表示後の印刷情報を常に表示（印刷）する前記電子ペーパーを備えることを特徴とするハンドル取付け用エスカチオン。
【請求項２】
請求項１に於いて、入力部に対する情報伝達手段として、端末が用いられることを特徴とするハンドル取付け用エスカチオン。
【請求項３】
請求項１に於いて、窓部には、電子ペーパー保護用の透明板が設けられていることを特徴とするハンドル取付け用エスカチオン。
【請求項４】
扉の壁面に固定されるハンドル取付け用エスカチオンに於いて、該エスカチオンは、所定形状の取付け基体と、該取付け基体に設けられた印刷表示装置とから成り、前記印刷表示装置は、入力部と、この入力部が受け取った印刷情報を記憶する記憶部と、該記憶部の印刷情報を前記取付け基体の表側に固定された電子ペーパーに出力するように制御する制御部と、該制御部からの前記印刷情報を表示後に電気が流れなくてもデータ自己保存性により当該表示後の印刷情報を常に表示（印刷）する前記電子ペーパーを備えることを特徴とするハンドル取付け用エスカチオン。
【発明の詳細な説明】
【技術分野】
【０００１】
本発明は、ハンドル取付け用エスカチオンの取付け基体の一部又は全部に印刷が施されているハンドル取付け用エスカチオンに関する。
【背景技術】
【０００２】
事務所の入口、ホテルの客室、住宅の玄関等に設けられた扉の内外の壁面には、ハンドル取付け用エスカチオン（取付け座）が固定されている。
【０００３】
従来、ハンドル取付け用エスカチオンは、意匠上、化粧板としての機能が重視されることから、たとえ形状が同じであっても、需要者の趣向に対応するように、色々な色彩や模様に施したエスカチオンを製造及び販売せざるを得ない。付言すると、同一の形状のエスカチオンであっても、色彩や模様を異なるように印刷を施し、いわゆるデザインバリエーションを増やさなければないない。そのために、製造者等は、カラーバリエーション（色彩や絵柄が異なる）ごとに在庫を保有し、かつ管理しているのが実情である。
【０００４】
そこで、需要者の趣向に柔軟に対応することができると共に、在庫、管理等の面倒を回避することができるハンドル取付け用エスカチオンの出現が期待されている。なお、特許文献１には、電子ペーパーを利用して印刷表示装置が開示されている。
【先行技術文献】
【特許文献】
【０００５】
【特許文献１】特開２００７−１９９２９６号公報
【発明の概要】
【発明が解決しようとする課題】
【０００６】
本発明の所期の目的は、需要者の趣向に柔軟に対応することができると共に、在庫、管理等の面倒を回避することができるハンドル取付け用エスカチオンを提供することである。第２の目的は、複雑な通信設定等をしなくても、需要者等が所持する携帯端末を利用して印刷情報を印刷表示装置に与え、エスカチオンの色彩や絵柄の印刷（いわゆるカラーバリエーション）の変更を容易に行うことができることである。
【課題を解決するための手段】
【０００７】
本発明のハンドル取付け用エスカチオンは、扉の壁面に固定されるハンドル取付け用エスカチオンに於いて、該エスカチオンは、窓を有する所定形状の取付け基体と、該取付け基体に設けられた印刷表示装置とから成り、前記印刷表示装置は、入力部と、この入力部が受け取った印刷情報を記憶する記憶部と、該記憶部の印刷情報を前記電子ペーパーに出力するように制御する制御部と、前記取付け基体の窓部に設けられ、かつ前記制御部からの前記印刷情報を表示後に電気が流れなくてもデータ自己保存性により当該表示後の印刷情報を常に表示（印刷）する前記電子ペーパーを備えることを特徴とする。
【０００８】
また、本発明のハンドル取付け用エスカチオンは、扉の壁面に固定されるハンドル取付け用エスカチオンに於いて、該エスカチオンは、所定形状の取付け基体と、該取付け基体に設けられた印刷表示装置とから成り、前記印刷表示装置は、入力部と、この入力部が受け取った印刷情報を記憶する記憶部と、該記憶部の印刷情報を前記取付け基体の表面に固定された電子ペーパーに出力するように制御する制御部と、該制御部からの前記印刷情報を表示後に電気が流れなくてもデータ自己保存性により当該表示後の印刷情報を常に表示（印刷）する電子ペーパーを備えることを特徴とする。
【発明の効果】
【０００９】
（ａ）需要者の趣向に柔軟に対応することができると共に、在庫、管理等の面倒を回避することができるハンドル取付け用エスカチオンを提供することができる。
（ｂ）請求項２に記載の発明は、扉からエスカチオンを取り外さなくても、また、複雑な通信設定等をしなくても、一般の需要者が所持する携帯端末（例えば登録商標のＦｅｌｉｃａ技術を備えた携帯電話）、或いは電気錠のメンテナンスをする作業者（ＳＥさん）が所持する業務用端末（例えば複数のＩＤをまとめて登録する機能、ログの吸出し機能、時間の設定機能等を備えた端末）を利用して印刷情報を印刷表示装置に与え、エスカチオンの色彩や絵柄の印刷（いわゆるカラーバリエーション）の変更を容易に行うことができる。
（ｃ）請求項３に記載の発明は、電子ペーパーにキズ等が付かない。
【図面の簡単な説明】
【００１０】
図１乃至図５は本発明の最良の実施例（第１実施例）を示す各説明図。図６及び図７は本発明の第２実施例を示す各説明図。図８は本発明の第３実施例を示す説明図。図９及び図１０は本発明の第４実施例を示す各説明図。
【図１】発明の実施の環境を示す概略説明図。
【図２】外側エスカチオン３の分解斜視図。
【図３】外側エスカチオン３の縦断面概略説明図。
【図４】印刷表示装置のブロック図。
【図５】印刷のフローチャート。
【図６】第２実施例の分解斜視図。
【図７】図３と同様の縦断面概略説明図。
【図８】第３実施例を示す説明図。
【図９】第４実施例を示す分解斜視図。
【図１０】図３と同様の縦断面概略説明図。
【発明を実施するための最良の形態】
【００１１】
以下、図１乃至図５に示す本発明を実施するための最良の形態（第１実施例）により説明する。
【００１２】
（１）発明の実施の環境
図１は発明の実施の環境を示す概略説明図である。図１に於いて、１は扉、２は扉１の自由端部内に設けられた錠前、３は扉１の外壁面１ａに上下方向に固定された外側エスカチオン、一方、４は扉１の内壁面１ｂに上下方向に固定された内側エスカチオン、５は外側エスカチオン３のハンドル軸孔に、その軸部が挿入された平面視Ｌ型形状の外側ハンドル、一方、６は外側ハンドルと同様に、内側エスカチオン４のハンドル軸孔に、その軸部が挿入された平面視Ｌ型形状の内側ハンドルである。なお、操作部材としての内外のハンドルには、図示しないノブも含まれる。
【００１３】
図１で示した錠前２は、デッドボルト７及びラッチ部材８の両方を備えている。本発明の実施態様の典型例は、電気錠であるか否かを問わず、デッドボルト７及びラッチ部材８の両方を備えている錠前２用のエスカチオンであるが、例えば室内扉のように、箱体にラッチ部材のみを備えている（デッドボルトが存在しない）ものにも適用することができる（室内扉のハンドル取付け座）。したがって、本発明は、扉の壁面に固定されるハンドル取付け用エスカチオンであれば良い。
【００１４】
（２）外側エスカチオン３
まず、錠前２が電気錠であることを前提として、外側エスカチオン３の一例に本発明を適用した場合を説明する。図２は外側エスカチオン３の分解斜視図、図３は外側エスカチオン３の縦断面概略説明図、図４は印刷表示装置のブロック図である。そして、図５は印刷のフローチャートである。
【００１５】
外側エスカチオン３の基本的構成は、所定形状の取付け基体１１と、この取付け基体に設けられた印刷表示装置Ｚである。
【００１６】
そこで、図２を参照にして、取付け基体１１の構成を説明する。取付け基体１１は、例えば縦長に形成され（長座）、その中央部には、矩形状の凹所型窓部１２が形成されている。この凹所型窓部１２を基準にすると、取付け基体１１の下端部寄りの部位にはハンドル軸孔１３が形成され、該ハンドル軸孔１３には、例えば平面視Ｌ型形状の外側ハンドル５の軸部５ａが挿入される。
【００１７】
また、取付け基体１１の前記外側ハンドル５よりも下方の下端部には、図示しない機械式キーを差し込むことができるシリンダ錠１９が取り付けられている。一方、取付け基体１１の上端部には、図示しない情報記憶媒体としての磁気或いはＩＣカードを差し込むことができる水平方向の差込み口１４が形成されている。
【００１８】
なお、取付け基体１１の形状及びハンドル軸孔１３、シリンダ錠１９用の取付け穴、差込み口１４の位置は、任意に設計変更できる事項である。
【００１９】
図３を参照にして、さらに取付け基体１１の構成について付言すると、取付け基体１１の凹所型窓部１２には、矩形状の透明板１５が前側から固定的に嵌め込まれる。透明板１５は、後述する電子ペーパー用の保護カバーとしての機能を有しているので、望ましくは、ガラス又は硬質のプラスチックで形成されたものが用いられる。凹所型窓部１２に透明板１５をぴったりと嵌め込むと、透明板１５の表面と取付け基体１１の表面は面一となる。
【００２０】
また、取付け基体１１の凹所型窓部１２の裏側には、固定手段（例えば複数本の固着具）１６を介して断面コ字形状の支持板１７が取付けられている。支持板１７は、適宜箇所に信号線等を通すための切欠或いは貫通孔あるいはまた開口を有している。本実施例では、支持板１７は、例えば格子状又はこれに類似する形状に形成されている。
【００２１】
この支持板１７と透明板１５とで画定された内部空間１８に印刷表示装置Ｚが組み込まれている。但し、この第１実施例の外側エスカチオン３は、印刷表示装置Ｚを構成するアンテナ２１が、前述したＩＣカード用差込み口１４側に位置するように取付け基体１１の上端部寄りの内壁面（支持板１７の外）に配設されている。その他の外側エスカチオン３の細部的事項の説明は割愛する。
【００２２】
（３）印刷表示装置Ｚ
図４を参照にして、印刷表示装置Ｚの具体的構成を説明する。印刷表示装置Ｚは、前述したアンテナ２１を備え、後述する電子ペーパー２６及び電子ペーパー用制御部２４を主とするものである。電子ペーパー２６は、光吸収層、液晶層、透明電極層、透明フィルム等を構成要素（公知事項）として、電気が流れなくなっても印刷情報ａを表示する特質を有している。
【００２３】
さて、２１はアンテナ、２２は電力生成部、２３は送受信機能を有する入力部、２４は制御部、２５は記憶部、そして、２６は表示部としての電子ペーパーで、これらの各部２１、２２、２３、２４、２５は、信号線２７及び電力供給線２８を介してそれぞれ適宜に接続されている。
【００２４】
前記アンテナ２１は、図３で示すように取付け基体１１の内部に設けられている。アンテナ２１は、例えばリーダ機能、書込み機能、送信機能等を有する情報伝達媒体手段（例えば携帯端末の一例としての携帯電話）２０から送られる印刷情報（受信信号）ａを受信する。携帯電話２０は、図示しない通信網を介してサーバから前記印刷情報ａを取得する。印刷情報ａは書き込み指令と表示内容を含む電磁波である。
【００２５】
電力生成部２２は、電磁波から電力を生成する機能を有する。アンテナ２１を介して導入される電磁波は、該電力生成部２２により、各部２１、２２、２３、２４等を動作させるための電力を生成する。入力部２３は、アンテナ２１が受信した電磁波から書き込み指令を受信しかつ制御部２４に送る。
【００２６】
制御部２４は書き込み準備の処理をすると共に、入力部２３から書き込み準備完了の信号を携帯端末（携帯電話）２０に送る。そうすると、携帯電話２０は印刷情報ａをアンテナ２１に対して送信する。入力部２２はアンテナ２１を介して印刷情報ａを受信し、制御部２４は入力部２２から受け取った印刷情報（受信信号、表示内容）ａを記憶部２５に格納する。
【００２７】
制御部２４は、周知のように、記憶部２５に格納された情報を処理し、図示しない表示制御部を動作させて記憶部２５の印刷情報ａを、信号線２７を介して電子ペーパー２６に出力するように制御する。そのとき電力生成部２３からの電力が電力線２８を介して電子ペーパー２６に供給されている。それにより、印刷情報ａが電子ペーパー２６に表示される。その後、電力生成部２２からの電力の供給は断たれるが、電子ペーパー２６は、そのデータ自己保存性により、印刷情報ａをそのまま表示し続ける。
【００２８】
上記のように、外側エスカチオン３は、窓１２を有する所定形状の取付け基体１１と、該取付け基体に設けられた印刷表示装置Ｚとから成り、前記印刷表示装置Ｚは、入力部２３と、この入力部が受け取った印刷情報ａを記憶する記憶部２５と、該記憶部の印刷情報ａを前記電子ペーパー２６に出力するように制御する制御部２４と、前記取付け基体１１の窓部１２に設けられ、かつ前記制御部２４からの前記印刷情報ａを表示後に電気が流れなくてもデータ自己保存性により当該表示後の印刷情報ａを常に表示（印刷）する前記電子ペーパー２６を備え、需要者が所望するとき、何時でも固定化された印刷情報ａを書き換えることができる。
【００２９】
（４）印刷情報ａの印刷までの流れ
図５を参照にして、Ｆｅｌｉｃａ（登録商標）機能を有する携帯端末２０から送信される印刷情報ａが印刷表示装置Ｚの電子ペーパー２６に表示される（印刷される）流れを説明する。
【００３０】
ステップＳ１は、例えば携帯端末２０から印刷表示装置Ｚに対して印刷情報ａの書込み指令が送信された段階である。携帯端末２０から書込み指令が送信されると、印刷表示装置Ｚの制御部２４は、書き込み指令に係る信号を載せた電磁波を受信したか否かを判断する（ステップＳ２）。もし、書き込み指令に係る信号を載せた電磁波を受信しなければ、そのステップを繰り返す。
【００３１】
一方、印刷表示装置Ｚは書き込み指令に係る信号を受信したならば、電力生成部２２は電磁波により、各部を動作させるための電力を生成して各部に電力を供給する。
【００３２】
また、入力部２３は、アンテナ２１が受信した電磁波から書き込み指令を取得して制御部２４に送る。該制御部２４は、書き込み準備の処理をする（ステップＳ３）。そして、制御部２４は書き込み準備完了をしたか否かを判断する（ステップＳ４）。もし、書き込み準備完了していなければ、書き込み準備を実行する。
【００３３】
一方、書き込み準備完了したならば、送受信機能を有する入力部２３から書き込み準備完了の信号を携帯端末２０に送る（ステップＳ５）。携帯端末２０は、書き込み準備完了信号を印刷表示装置Ｚから受信したか否かを判断する（ステップＳ６）。もし、書き込み準備完了信号を受けていなければ、そのステップを繰り返す。一方、書き込み準備完了信号を受信したならば、携帯端末２０から、印刷情報ａを送信する（ステップＳ７）。
【００３４】
このようにして入力部２３が印刷情報ａを、アンテナ２１を介して受信すると、制御部２４は入力部２３から当該印刷情報ａを受け取り、記憶部２５に一旦格納する。
【００３５】
その後、制御部２４は、記憶部２５に格納した前記印刷情報ａを、信号線２７を介して電子ペーパー２６に出力するように制御する。その時、電力生成部２２からの電力が電力供給線２７を介して電子ペーパー２６に供給されている。それにより、印刷情報ａが電子ペーパー２６に表示される（ステップＳ８）。その後、電力生成部２２からの電力の供給は絶たれるが、電子ペーパー２６のデータ自己保存性により、印刷情報ａはそのまま表示され続ける。
【００３６】
つまり、表示部としての電子ペーパー２６は、制御部２４からの印刷情報ａを表示後に電気が流れなくてもデータ自己保存性により当該表示後の印刷情報を常に表示（印刷）する。
【実施例】
【００３７】
発明の実施の形態で示した実施例は、外側エスカチオン３に本発明の印刷表示装置Ｚを適用したものであるが、図６及び図７で示すように内側エスカチオン４に本発明を適用しても良い（これを第２実施例とする）。以下、第２実施例等の説明にあたって、第１実施例と同一の構成には同一の符号を付して重複する説明を省略する。
【００３８】
この内側エスカチオン４は、例えば電気錠用なので、縦長の取付け基体１１Ａの上端部側の内部空間に印刷表示装置Ｚの制御部２４を構成する電力生成部２２とは別個の電気錠の制御盤用電源（複数本の電池）３１を備えている。制御盤用電源３１は、望ましくは電源３１用収納枠体３２に着脱自在に取付けられている。
【００３９】
また、内側エスカチオン４は、凹所型窓部１２Ａを基準とする下端部側に、内側ハンドル６とサムターン３３がそれぞれ設けられている。内側エスカチオン４の印刷表示装置Ｚの構成及び携帯端末２０からの印刷情報の印刷までの流れは、第１実施例と同一なので重複する説明を省略する。
【００４０】
次に、図８はアンテナ２１Ａの位置を変えた外側エスカチオン３Ａの第３実施例を示す。第３実施例の外側エスカチオン３Ａは、形態上のコンパクト化を図るはために、支持板１７Ａの裏面にアンテナ２１Ａを配設したものである。なお、支持板１７Ａはアンテナ２１Ａの受信障害にならないように格子状に形成され、或いは適宜箇所に開口を有する。
【００４１】
次に、図９及び図１０は、図示しない箱体にラッチ部材のみを備えている、いわゆる室内扉のエスカチオン３Ｂに印刷表示装置Ｚを適用したものである（これを第４実施例とする）。
【００４２】
この室内扉のエスカチオン３Ｂは、縦長の取付け基体１１Ｂと、この取付け基体１１Ｂの表側の一例としての前面に形成された凹所３５にぴったりと嵌め込まれる所定形状の電子ペーパー２６と、この電子ペーパー２６の表面にぴったりと重ねられるフィルム状の透明板１５と、前記取付け基体１１Ｂの裏面に設けられた内部空間１８Ｂに支持板１７Ｂを介して取付けられた印刷表示装置Ｚとから成る。この室内扉のエスカチオン３Ｂは、扉１の内外の壁面１ａ、１ｂのいずれにも取付け可能である。
【００４３】
しかして、図９で示すように、取付け基体１１Ｂ、電子ペーパー２６及び透明板１５の適宜箇所（例えば下端部）には、外側ハンドル５又は内側ハンドル６用のハンドル軸孔１３Ｂがそれぞれ形成されている。
【００４４】
また、支持板１７Ｂは、適宜形状（例えばフランジを有する枠状）に形成され、印刷表示装置Ｚの制御部２４及びアンテナ２１が、該支持板１７Ｂの不番の凹所内に縦方向にそれぞれ固定される。信号線２８および電力供給線２８は、取付け基体１１Ｂの表面の上端部に形成した通孔３６を介して電子ペーパー２６にそれぞれ接続されている。
【００４５】
このように第４実施例のエスカチオン３Ｂは、少なくとも取付け基体１１Ｂの表面の略全部に電子ペーパー２６を設けた点で、第１実施例のエスカチオンとは相違する。
【００４６】
ここで、入力部２３と記憶部２５に関して、念のために付言する。本実施例の入力部２３は、情報伝達媒体手段（例えば携帯電話）２０から送られる印刷情報（受信信号）ａを受信する旨を説明したが、もちろん、取付け基体に直接又は接続コードを介して間接的に設けられたカードリーダであっても良い。特に図示しないが、取付け基体にカードリーダを設ける場合には、電子ペーパー２６の邪魔にならないように、取付け基体の周縁部の適宜箇所に設けるのが望ましい。
【００４７】
そして、入力部２３の一例としてカードリーダを取付け基体に設けた場合に於いて、情報媒体手段としてのメモリーカード（例えば登録商標としてのＳＤカード）に格納されている印刷情報ａは、当該カードリーダによって読み込まれ、記憶部２５に一時的に保存され、該記憶部２５に一時的に保存された印刷情報ａは、制御部２４に制御されて電子ペーパー２６に出力される。
【００４８】
したがって、本実施例の記憶部２５に格納される印刷情報ａは、携帯電話２０から送信されるものに限定されない。また、携帯電話２０は、前述したように情報伝達媒体手段の一例であるから、電気錠のメンテナンスをする作業者（ＳＥさん）が所持する業務用端末（例えば複数のＩＤをまとめて登録する機能、ログの吸出し機能、時間の設定機能等を備えた端末）も、当然含まれる。
【００４９】
それ故に、ここで「端末」とは、携帯電話、電気錠のメンテナンスをする作業者が所持する業務用端末、カードリーダ機能を有しかつ、電気錠とは異なる場所に配設された遠隔端末（操作盤）が含まれる。また、「印刷情報」には、携帯電話２０から送信されるものや情報媒体手段を介して得られるものを含む。
【産業上の利用可能性】
【００５０】
本発明は、主に錠前や建具の業界で利用される。
【符号の説明】
【００５１】
Ｚ…印刷表示装置、1…扉、１ａ…外壁面、１ｂ…内壁面、２…錠前、３…外側エスカチオン、３Ｂ…室内扉のエスカチオン、４…内側エスカチオン、５…外側ハンドル、６…内側ハンドル、１１、１１Ａ、１１Ｂ…取付け基体、１２、１２Ａ…窓部、１３、１３Ｂ…ハンドル軸孔、１５…透明板、１６…固定手段、１７、１７Ａ、１７Ｂ…支持板、１８、１８Ｂ…内部空間、２０…携帯端末、ａ…印刷情報（受信信号）、２１、２１Ａ…アンテナ、２２…電力生成部、２３…入力部、２４…制御部、２５…記憶部、２６…電子ペーパー、２７…信号線、２８…電力供給線、３１…制御盤用電源（電池）、３２…電源用収納枠体、３５…凹所。
【図１】
2010222781.tif 000003
【図２】
2010222781.tif 000004
【図３】
2010222781.tif 000005
【図４】
2010222781.tif 000006
【図５】
2010222781.tif 000007
【図６】
2010222781.tif 000008
【図７】
2010222781.tif 000009
【図８】
2010222781.tif 000010
【図９】
2010222781.tif 000011
【図１０】
2010222781.tif 000012